【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
ストレージ装置と、前記ストレージ装置が提供するボリュームにアクセスするホスト計算機と、管理計算機と、を含む計算機システムであって、
前記ホスト計算機は、制御プログラムと、前記制御プログラム上で動作するゲストＯＳと、を実行し、
前記ゲストＯＳは、前記ストレージ装置から割り当てられている一つ又は複数のボリュームにアクセスし、
前記ストレージ装置は、前記ゲストＯＳに割り当てられている前記一つ又は複数のボリュームのコピー処理を実行し、
前記ホスト計算機及び前記管理計算機の一方の計算機は、前記ストレージ装置によるコピー処理を制御するコピー制御プログラムを実行し、
前記一方の計算機は、前記コピー制御プログラムに従って、所定のタイミングにおいて、前記ゲストＯＳに割り当てられている一つ又は複数のボリュームの少なくとも一部を示す第１の情報を、前記制御プログラムから取得し、
前記一方の計算機は、前記コピー制御プログラムに従って、前記第１の情報と、前記所定のタイミングよりも前において前記ゲストＯＳに割り当てられていた一つ又は複数のボリュームの少なくとも一部を示す第２の情報と、を比較して前記ゲストＯＳのへのボリューム割り当ての変更をチェックし、そのチェック結果に応じて前記ゲストＯＳのためのボリューム・コピー制御を行う、計算機システム。
【請求項２】
前記一方の計算機は、前記ゲストＯＳに割り当てられているボリュームのコピー制御コマンドを受信し、前記コピー制御コマンドの前記受信に応答して前記チェックを行う、
請求項１に記載の計算機システム。
【請求項３】
前記一方の計算機は、前記コピー制御コマンドの前記受信に応答して前記第１の情報を取得する、
請求項２に記載の計算機システム。
【請求項４】
前記一方の計算機は、前記コピー制御コマンドが前記チェックを指示する場合に、前記チェックを行う、
請求項３に記載の計算機システム。
【請求項５】
前記ゲストＯＳに割り当てられているボリュームの属性は、前記ゲストＯＳへの割り当てが稼働中に変更可な第１属性と、変更不可の第２属性とを含み、
前記第１の情報及び前記第２の情報は、前記ゲストＯＳに割り当てられている前記第１属性の全ボリュームの情報で構成されている、
請求項４に記載の計算機システム。
【請求項６】
前記ゲストＯＳに割り当てられている全ボリュームから構成され、前記ストレージ装置のコピー処理の単位であるコピー・グループが定義されており、
前記第２の情報は、前記コピー・グループの情報である、
請求項５に記載の計算機システム。
【請求項７】
前記一方の計算機は、前記第１の情報と前記第２の情報との比較において、ボリュームの過不足の有無及びボリューム・ラベルの相違の有無少なくとも一つを判定する、
請求項６に記載の計算機システム。
【請求項８】
前記一方の計算機は、前記受信したコピー制御コマンドがコピー・ペアの作成であり、前記判定が有である場合、前記コピー・ペアの作成のコピー制御コマンドを前記ストレージ装置に発行することなく、エラー処理を行う、
請求項７に記載の計算機システム。
【請求項９】
前記ゲストＯＳに割り当てられている全てのボリュームから構成され、前記一方の計算機によって一つの操作対象として扱われるコピー・グループが定義されており、
前記第２の情報は、前記コピー・グループの情報であり、
前記一方の計算機は、前記コピー・グループのために前記ストレージ装置にコピー制御コマンドを発行する場合、前記コピー・グループに含まれ前記第１の情報に含まれてないボリュームを対象から除外する、
請求項５に記載の計算機システム。
【請求項１０】
制御プログラムと前記制御プログラム上で動作するゲストＯＳとを実行するホスト計算機と、前記ゲストＯＳに一つ又は複数のボリュームを提供し前記一つ又は複数のボリュームのコピー処理を実行するストレージ装置と、管理計算機と、を含む計算機システムにおいて、前記ストレージ装置のボリュームを管理する方法であって、
前記ホスト計算機及び前記管理計算機の一方の計算機は、前記ストレージ装置によるコピー処理を制御するコピー制御プログラムを実行し、
前記一方の計算機は、前記コピー制御プログラムに従って、所定のタイミングにおいて、前記ゲストＯＳに割り当てられている一つ又は複数のボリュームの少なくとも一部を示す第１の情報を、前記制御プログラムから取得し、
前記一方の計算機は、前記コピー制御プログラムに従って、前記第１の情報と、前記所定のタイミングよりも前において前記ゲストＯＳに割り当てられていた一つ又は複数のボリュームの少なくとも一部を示す第２の情報と、を比較して前記ゲストＯＳのへのボリューム割り当ての変更をチェックし、
前記一方の計算機は、前記コピー制御プログラムに従って、前記チェックの結果に応じて前記ゲストＯＳのためのボリューム・コピー制御を行う、方法。
【請求項１１】
前記一方の計算機は、
前記ゲストＯＳに割り当てられているボリュームのコピー制御コマンドを受信し、前記コピー制御コマンドの前記受信に応答して前記第１の情報を取得し、さらに、前記チェックを行う、
請求項１０に記載の方法。
【請求項１２】
前記ゲストＯＳに割り当てられているボリュームの属性は、前記ゲストＯＳへの割り当てが稼働中に変更可な第１属性と、変更不可の第２属性とを含み、
前記一方の計算機は、前記第１属性のボリュームについて前記チェックを行う、
請求項１０に記載の方法。
【手続補正２】
【補正対象書類名】明細書
【補正対象項目名】発明の名称
【補正方法】変更
【補正の内容】
【発明の名称】計算機システム及びストレージ・ボリューム管理方法
【手続補正３】
【補正対象書類名】明細書
【補正対象項目名】０００７
【補正方法】変更
【補正の内容】
【０００７】
【特許文献１】特開２００３−１２２５０９号公報
【手続補正４】
【補正対象書類名】明細書
【補正対象項目名】００５５
【補正方法】変更
【補正の内容】
【００５５】
図４に示すように、コピー・グループ情報５１０は、グループ識別子５１１、コピー種別５１２、プライマリボリューム識別子５１３及びセカンダリボリューム識別子５１４を含む。図４の例は三つのコピー・グループＧ１〜Ｇ３を示し、グループＧ１の各項目に、参照符号が例示的に示されている。
【手続補正５】
【補正対象書類名】明細書
【補正対象項目名】００５６
【補正方法】変更
【補正の内容】
【００５６】
グループ識別子５１１は、コピー・グループを特定する。コピー種別５１２は、同期コピーや非同期コピーなど、コピー方法の種別を特定する。プライマリボリューム識別子５１３及びセカンダリボリューム識別子５１４は、それぞれ、コピー・ペアを構成する二つのボリュームを特定する。ボリューム識別子は、対象となるストレージ装置及びそのストレージ装置内のいずれのボリュームかを特定する。
【手続補正６】
【補正対象書類名】明細書
【補正対象項目名】００５７
【補正方法】変更
【補正の内容】
【００５７】
図４に示す例において、三つのコピー・グループＧ１〜Ｇ３が存在している。例えば、コピー・グループＧ１のペアは、二つである。一つのペアは、ボリューム識別子Ａ０００１のプライマリボリューム及びボリューム識別子Ｂ０００１のセカンダリボリュームで構成されている。他の一つのペアは、ボリューム識別子Ａ０００２のプライマリボリューム及びボリューム識別子Ｂ０００２のセカンダリボリュームで構成されている。
【手続補正７】
【補正対象書類名】明細書
【補正対象項目名】００６０
【補正方法】変更
【補正の内容】
【００６０】
ボリューム・ラベル５３４は、ユーザが指定するボリューム特定のための識別子である。ボリューム識別子及びボリューム・ラベルは入出力装置構成情報１０８に含まれている。ホスト計算機１００は、ストレージ構成情報５３０により、特定のボリュームの、ボリューム識別子、ボリューム・ラベル、ストレージ装置及びボリューム番号を知ることができる。
【手続補正８】
【補正対象書類名】明細書
【補正対象項目名】００７７
【補正方法】変更
【補正の内容】
【００７７】
コピー制御プログラム４００は、取得したボリューム識別子７０２を、ボリューム識別子５４２のエントリ（ボリューム識別子を表すデータ）として、対応するゲスト番号５４１のゲスト情報５４０に追加する。同様に、取得したボリューム・ラベル７０４を、ボリューム・ラベル５４３のエントリとして、属性フラグ７０５を属性５４４のエントリとして、ゲスト情報５４０に追加する。
【手続補正９】
【補正対象書類名】明細書
【補正対象項目名】００７９
【補正方法】変更
【補正の内容】
【００７９】
ストレージ装置２００から情報を取得する処理を具体的に説明する。コピー制御プログラム４００は、ステップ８０３で取得したゲスト情報５４０に含まれるボリューム識別子５４２の各エントリを指定して、ストレージ装置２００に情報取得コマンドを発行する。
【手続補正１０】
【補正対象書類名】明細書
【補正対象項目名】００８０
【補正方法】変更
【補正の内容】
【００８０】
コピー制御プログラム４００は、ストレージ装置２００から、それが備えるボリュームの情報を得る。ストレージ装置２００のディスク・サブシステム番号を、ストレージ構成情報５３０のディスク・サブシステム番号５３１のエントリとして追加する。さらに、ストレージ装置２００からその情報を得ることができたボリューム識別子５４２のエントリと、対応するボリューム番号５３２のエントリ及びボリューム・ラベル５４３のエントリを追加する。